(57)【要約】      （修正有）【課題】送風行為において、一つの用具で十分な風量を確保させる。また、平素外出時にコンパクトに持ち運べない団扇の欠点を解決する扇の新形体を提供する。【解決手段】本体に扇子と団扇の形態切り替え機構を設け、送風のための使用時には扇子形態又は団扇形態を、持ち運び時には閉じた状態の扇子形態を選択することにより、快適な風量の確保と軽便な運搬という、扇子と団扇の長所のみを活かさせるようにし、一つの用具で前記課題を解決している。また、扇の新形体を提供している。【選択図】図５
0003128269.tif 000002
【実用新案登録請求の範囲】
【請求項１】
「扇（おうぎ）」を開いたとき、親骨の近い方の端と内縁骨（ うちふちぼね ）との端をビニールやチェーンなどの紐状のもので引っ張り、 固定できるようにしたものであり、扇子と団扇のおのおのの形態を切り替えることができることを特徴とする形態の切り替えのできる扇。
【請求項２】
該扇のかなめ部にかなめの締め付けと弛み止めを設けたことを特徴とする請求項１に記載の形態の切り替えのできる扇。
【請求項３】
該扇の親骨と中骨に係り、 各骨の移動防止のための部品を設けたことを特徴とする請求項１に記載の形態の切り替えのできる扇。
【請求項４】
該扇のかなめ部周辺に輪ゴムや伸び縮みするテグス等の弾性素材による締め付けと弛み止め（つまり、 締め（しめ））を設けたことを特徴とする請求項１に記載の形態の切り替えのできる扇。
【考案の詳細な説明】
【技術分野】
【０００１】
本考案は、携帯が容易な扇子と扇ぐ風量が十分確保できる団扇とを使用時の条件に合わせて、扇子又は団扇に適宜その形態を切り替えて使用する扇及び広告又は表示手段としての扇に関するものである。
【背景技術】
【０００２】
従来の扇という意味では、送風の働きがある。そして、それ以外の機能としては扇子も団扇も美術的に飾る物や芸術的に踊りに用いるなど楽しみや癒しの働きが存在する。まず、送風の働きについては、扇ぐ行為として扇子及び団扇の現物を手に持ち同じ角度分手首を返した場合、扇子は団扇より扇ぐ風量が少なく、団扇は風量については扇子よりあるが従来持ち運び時にはその形態から面積を取りコンパクトな形で平素持ち歩くことが困難であった。が、しかし、単に持ち運びをコンパクトにした改良型としては、下記特許文献１（書類名（図面（図１７）））やカンボジア国のサトウヤシの葉で作られた団扇（書類名（図面（図１８）））がある。なお、これらはコンバクトに折り畳んではいるが、その折り畳んだときの形には、バッグや鞄の中などで他の物品に、なおまだ引っ掛かる部分が残っている（書類名（図面（図１７（Ｂ）、図１８（Ｂ）））参照）。また、該製品は団扇としてしか使用できない。次に、楽しみや癒しの面では、所有者を満足させる趣のある新しい形が個性として求められているが、画期的に形態の変化するものはなかった（書類名（図面（図１５，図１６）））。
【特許文献１】登録実用新案第３０７７３０１号の（図１）。
【考案の開示】
【考案が解決しようとする課題】
【０００３】
使用者自らの選択による形態の変化により使用者の最適利用を助け、形態の変化を適宜選択することにより送風行為において、一つの用具で十分な風量を確保すること。また、団扇の平素コンバクトに持ち運べない欠点を解決しようとするものである。そして、扇の新形体を提供することである。
【課題を解決するための手段】
【０００４】
本考案は、扇子と団扇の形態切り替え機構を設け、送風のための使用時には扇子又は団扇を、持ち運び時には閉じた状態の扇子形態を選択することにより、快適な風量の確保と軽便な運搬という、扇子と団扇の両者の長所のみを活かさせ、扇ぐ扇としても、また、広告又は表示手段の用具としても使用者の自己選択のできる形態の切り替え機構により、課題を解決している。
【考案の効果】
【０００５】
形態を変化させる機構を設けることにより、一つの用具で十分な風量を確保でき、外見もすっきりとコンバクトに持ち運ぶのに役立つことは勿論のこと、かなめの締め付け具や扇面すぼみ止め具を備えた該略固定の団扇形態のものは、扇ぐ目的以外に折り畳みできる軽便な案内誘導版や交通整理誘導版や広告板などに役立つ。
【０００６】
また、扇面に扇子特有の山谷型の凹凸を有することにより、扇ぐとき空気を確実につかみうることとなり、従来の団扇の扇面より空気がよりつかみやすいものとなっている。
【考案を実施するための最良の形態】
【０００７】
従来の扇子の親骨と中骨の間に内縁骨（うちふちぼね）を設け、次に内縁骨と中骨にわたり扇面（地面）が貼られた後、該扇面が開いた状態において、親骨の近い方の端と内縁
骨の近い方の端をビニールやチェーンなどの紐状のもので結びつけ引っ張り固定し、続いて親骨の遠い方の端と内縁骨の遠い方の端および二つの親骨の遠い方の端同士が着脱自由にできる一対になる面ファスナーを設けたとき、該扇面が開いたままの状態を保てるようになる。よって、これにより扇子と団扇の形態を切り替えできる機構ができる。そこで、扇子として使用したい時は扇子形態にし、団扇として使用したい時は団扇形態にして使用する。そして、持ち運びには閉じた扇子状態で持ち運ぶ。また、激しく扇ぐとか激しい踊りに用いるなどにより本体自体に大きな強度を求められた場合では、本体のがたつきをなくすために、要（かなめ）部にかなめの締め付け及び弛み止めを採用する。また、略完全に扇面の開き具合を固定したいときは、扇面すぼみ止め部品を使用する。そして、また、通常使用用には、「がたつき止め」として輪ゴムや伸び縮みするプラスチックやテグス等の弾力性のある紐や輪状のものを要（かなめ）周辺の締め（しめ）として使用すると、通常使用時における本体の強度が充分なものとなり、通常使用に十分耐えるものになる。
【産業上の利用可能性】
【０００８】
現在、人類には地球温暖化防止のため省エネルギーが求められている。前記考案は環境産業グッズとして室内外を問わず使用できるものであり、人類生存の課題である省エネルギーの助けとなる。
【実施例】
【０００９】
以下、添付図面に従って実施例を説明する。符号５００番台は前記考案の部位の名称、（図１）は該考案の「閉じた扇子形態」、（図２）は該考案の「開いた扇子形態」、（図４）は該考案の扇子形態から団扇形態に又は団扇形態から扇子形態に移る途中のもの、（図５）は該考案の団扇形態である。５５８と５２８、５６８と５３８及び５５８と５６８は一対となる面ファスナーで、面ファスナーの接着相手を切り替えることにより扇子形態か団扇形態かを選べる。（図７）において、左右両親骨の要（かなめ）より遠い方の先端にある面ファスナー５５８と面ファスナー５６８を合わせたときは、ひも５８０の引っ張ろうとする力と扇面の閉じようとする力の拮抗により団扇形態の（図５）になり、該面ファスナー５５８と内縁骨の要（かなめ）より遠い方の先端にある（図では裏側にある）面ファスナー５２８とを合わせ、且つ又、該面ファスナー５６８を内縁骨の要（かなめ）より遠い方の先端にある５３８と合わせたときは、「閉じた扇子形態」の（図１）又は「開いた扇子形態」の（図２）となる。この様に形態を変える機構を持たせることにより、一つの用具で十分な風量を確保し、軽便で外見もスマートな新形体の扇となる。なお、当実施例は右利き用であるが、左利き用は部品の位置関係が（図６）のＹ２−Ｙ２軸で線対称となようにする。
【００１０】
（図６）は該考案の製品の動きの方向及び観察方向を説明するための空間軸（座標軸）状態の表示で、扇の扇ぐときの動きの方向をあらわしている。原点６０１を中心として正面図の扇をＸ１−Ｘ１軸に沿った方向つまり左右方向に激しく振る動きのある踊りなどに用いようとするとき、また、扇ぐときの扇のがたつき具合を調整し要（かなめ）の締め具合を決めるときは、（図８）のかなめの締め付け及び弛み止め部７０２で調整をおこなう。なお、かなめの締め付け及び弛み止め部７０２において、要の軸ボルト７１０、座金７２０、第１締めナット７３２、ばねワッシャ７３４、及び第２締めナット７３６はうら側から要の軸ボルト７１０をおもて側に通して使用しているが、表裏を（図１９）とは逆にして同要の軸ボルト７１０をおもて側からうら側に通して使用してもよい。更には、ボルトのねじ７１２は第１締めナット７３２及び第２締めナット７３６とねじ山が同ピッチであっていれば右ねじでも左ねじでもよい。ただし、ここで、（図１３）の（Ｂ）のようにうら側に（図１２）の扇面すぼみ止め部品８５０を取り付けるには、（図７）において新しく該奥側の親骨５５０に親骨の遠い方の端５５２と要（かなめ）７００の間に新しい穴５５９（図示せず）を設けなければならない。
【００１１】
符号８５０は扇面すぼみ止め部品である。扇面（地面）５１０と柄（親骨５５０と親骨５６０の合わせたもの）を略完全に固定するには、（図８）の説明図おいて、扇子本体５７０と第１締めナット７３２又は座金７２０とのあいだに符号８６０又は符号８７０の位置に扇面すぼみ止め部品８５０を取り付けて、（図６）のＸ１−Ｘ１軸やＹ１−Ｙ１軸、Ｚ１−Ｚ１軸のいずれの方向つまり四方八方への「扇の立体全方向へのがたつき」をなくする。
【００１２】
なお、本考案の一実施例は、上述の如き仕組みから、形態が、（１）閉じた扇子形態（図１）、（２）開いた扇子形態（図２）、（３）新形体の団扇形態（図５）と３段階に変態をする。 
【００１３】
本考案の通常使用においては、扇面すぼみ止め部品 ８５０を使用して略完全に固定しなくても、通常の扇として使用できるが、 通常使用には（図１３）のように要（かなめ）７００や要（かなめ）軸棒（例えば、要の軸ボルト７１０を合成樹脂でつくったもの）の周りに「しめ」９１０を付けることにより、扇自体の「がたつき」を十分に止めることができる。なお、（図１４）は「しめ」９１０を用い団扇形態にした時の部分拡大図である。 
【図面の簡単な説明】
【００１４】
【図１】本考案の一実施例を示す閉じた扇子形態である。
【図２】本考案の一実施例を示す開いた扇子形態である。
【図３】本考案の一実施例を示す扇子形態から団扇形態に又は団扇形態から扇子形態に移る途中のものの図である（奥側の面ファスナーをはずしたところ）。
【図４】本考案の一実施例を示す扇子形態から団扇形態に又は団扇形態から扇子形態に移る途中のものの図である。
【図５】本考案の一実施例を示す団扇形態である。
【図６】本考案の製品の動きの方向を説明するための空間軸（座標軸）状態を表示説明した説明図である（ただし、扇は正面図であり、各軸は相互に直角である。）。
【図７】本考案（形態の切り替えのできる扇）の各部位の名称。
【図８】かなめの締め付け及び弛み止め部。
【図９】かなめに軸棒を通したもの。
【図１０】扇面すぼみ止め部品を付ける位置関係を説明した図である。
【図１１】本考案の扇を略全開に開いて固定したものの状態の説明図である。（Ａ）は、扇面を開いたときの扇のおもて側から「扇面すぼみ止め部品」８５０を取り付けたのを観たもの。（Ｂ）は、扇面を開いたときの扇のうら側から「扇面すぼみ止め部品」８５０を取り付けたのを観たもの。
【図１２】略完全固定用扇面すぼみ止め部品８５０を表及び裏から観た図である。（Ａ）は、おもて側からの斜視図である。（Ｂ）は、うら側からの斜視図である。
【図１３】本考案の一実施例を示す閉じた扇子形態に弾力性のある「しめ」９１０を取り付けたものの図である。
【図１４】座標軸ポイントＰ（Ｘ１（＋ａ），Ｙ１（−ｃ），Ｚ１（＋ａ））から、６０１（原点）方向を観た部分拡大図である。
【図１５】従来の一般的扇子の図である。
【図１６】従来の一般的団扇の図である。
【図１７】例１（中骨の改良されたうちわ状扇子（登録実用新案第３０７７３０１号の（図１）））の図である。（Ａ）は、扇面を開いたときの正面図。（Ｂ）は、扇面を閉じたときの側面図。
【図１８】例２（カンボジア国のサトウヤシの葉で作られた団扇）の図である。（Ａ）は、扇面を開いたときの正面図。（Ｂ）は、扇面を閉じたときの斜視図。
【符号の説明】
【００１５】
５１０    扇面（地面）
５１１    おもて面    
５１２    うら面
５１３    天
５１４    山（地紙の折り目のやま）
５１６    谷（地紙の折り目のたに）
５１７    地
５２０    扇面を開いたときの扇のおもて面に向かって左側の内縁骨
５２２    内縁骨の遠い方の端
５２４    扇面を開いたときに親骨の近い方の端に近い方のあな
５２６    内縁骨の近い方の端
５２８    内縁骨の遠い方の端の面ファスナー
５２９    扇面を開いたときに中骨と内縁骨をつき貫けているあな
５３０    扇面を開いたときの扇のおもて面に向かって右側の内縁骨
５３２    内縁骨の遠い方の端
５３４    扇面を開いたときに親骨の近い方の端に近い方のあな  
５３６    内縁骨の近い方の端
５３８    内縁骨の遠い方の端の面ファスナー
５３９    扇面を開いたときに中骨と内縁骨をつき貫けているあな
５４０    中骨
５５０    扇面を開いたときの扇のおもて面に向かって左側の（奥側の）親骨
５５２    親骨の遠い方の端
５５６    親骨の近い方の端
５５８    親骨の遠い方の端の面ファスナー
５５９    親骨の遠い方の端と要の間にあるあな（図示せず）
５６０    扇面を開いたときの扇のおもて面に向かって右側の（手前側の）親骨
５６２    親骨の遠い方の端
５６６    親骨の近い方の端
５６８    親骨の遠い方の端の面ファスナー
５６９    親骨の遠い方の端と要の間にあるあな
５７０    要（かなめ）７００に「かなめの締め付け及び弛み止め」を取り付ける
前の扇子状のもの（扇子本体）
５８０    ひも
５８２    おもて側のひも
５８４    うら側のひも
６０１    （図６）のＸ１−Ｘ１軸、Ｙ１−Ｙ１軸及びＺ１−Ｚ１軸の各軸の原点
７００    要（かなめ）
７０２    かなめの締め付け及び弛み止め部
７１０    要の軸ボルト
７１２    ボルトのねじ
７２０    座金
７３０    ゆるみ止め
７３２    第１締めナット
７３４    ばねワッシャ
７３６    第２締めナット
８５０    扇面すぼみ止め部品
８５２    おもて側の穴５２９又は、うら側のからの穴５３９へ入れる爪
８５３    おもて側の穴５３９又は、うら側のからの穴５２９へ入れる爪
８５６    おもて側の穴５６９又は、うら側のからの穴５５９（図示せず）へ入
れる爪
８５７    「要の軸ボルト」７１０をはさむ恰好で取り付けるところ
９０１    「しめ（輪ゴムや伸び縮みするプラスチックやテグス等の弾力性のある
紐や輪状のもの）」
【図１】
0003128269.tif 000003
【図２】
0003128269.tif 000004
【図３】
0003128269.tif 000005
【図４】
0003128269.tif 000006
【図５】
0003128269.tif 000007
【図６】
0003128269.tif 000008
【図７】
0003128269.tif 000009
【図８】
0003128269.tif 000010
【図９】
0003128269.tif 000011
【図１０】
0003128269.tif 000012
【図１１】
0003128269.tif 000013
【図１２】
0003128269.tif 000014
【図１３】
0003128269.tif 000015
【図１４】
0003128269.tif 000016
【図１５】
0003128269.tif 000017
【図１６】
0003128269.tif 000018
【図１７】
0003128269.tif 000019
【図１８】
0003128269.tif 000020
【手続補正書】
【提出日】平成18年7月11日(2006.7.11)
【手続補正１】
【補正対象書類名】実用新案登録請求の範囲
【補正対象項目名】請求項１
【補正方法】変更
【補正の内容】
【請求項１】
「扇（おうぎ）」を開いたとき、親骨の要（かなめ）に近い方の端（書類名（図面（図１４（５６６，５５６））））と内縁骨（うちふちぼね）の要（かなめ）に近い方の端（該図１４（５３６，５２６））とをビニールやチェーンなどの紐となるのもの（該図１４（５８２，５８４））で引っ張り、固定できるようにしたものであり、扇子と団扇のおのおのの形態を切り替えることができることを特徴とする形態の切り替えのできる扇。
【手続補正２】
【補正対象書類名】明細書
【補正対象項目名】０００９
【補正方法】変更
【補正の内容】
【０００９】
以下、付図面に従って実施例を説明する。符号５００番台は前記考案の部位の名称、（図１）は該考案の「閉じた扇子形態」、（図２）は該考案の「開いた扇子形態」、（図４）は該考案の扇子形態から団扇形態に又は団扇形態から扇子形態に移る途中のもの、（図５）は該考案の団扇形態である。５５８と５２８、５６８と５３８及び５５８と５６８は一対となる面ファスナーで、面ファスナーの接着相手を切り替えることにより扇子形態か団扇形態かを選べる。（図７）において、左右両親骨の要（かなめ）より遠い方の先端にある面ファスナー５５８と面ファスナー５６８を合わせたときは、ひも５８０の引っ張ろうとする力と扇面の閉じようとする力の拮抗により団扇形態の（図５）になり、該面ファスナー５５８と内縁骨の要（かなめ）より遠い方の先端にある（図では裏側にある）面ファスナー５２８とを合わせ、且つ又、該面ファスナー５６８を内縁骨の要（かなめ）より遠い方の先端にある５３８と合わせたときは、  「閉じた扇子形態」の（図１）又は「開いた扇子形態」の（図２）となる。この様に形態を変える機構を持たせることにより、一つの用具で十分な風量を確保し、軽便で外見もスマートな新形体の扇となる。なお、当実施例は右利き用であるが、左利き用は部品の位置関係が（図６）のＹ２−Ｙ２軸で線対称となる。
【手続補正３】
【補正対象書類名】図面
【補正対象項目名】図３
【補正方法】変更
【補正の内容】
【図３】
0003128269.tif 000021
【手続補正４】
【補正対象書類名】図面
【補正対象項目名】図１４
【補正方法】変更
【補正の内容】
【図１４】
0003128269.tif 000022
【手続補正書】
【提出日】平成18年9月4日(2006.9.4)
【手続補正１】
【補正対象書類名】実用新案登録請求の範囲
【補正対象項目名】全文
【補正方法】変更
【補正の内容】
【実用新案登録請求の範囲】
【請求項１】
扇子を開いたとき、一つには、扇面の左右両端に各１ずつ扇面に連なる内縁骨（うちふちぼね）を設け、該内縁骨の要（かなめ）に近い方の先端と「当扇子においては扇面につながっていない親骨」の要（かなめ）に近い方の先端とを扇子の左右の側それぞれにて紐でつなぎ結び、両親骨を要（かなめ）の周りに回動させ、続いて、該親骨どうしを重ね合わせたときには、扇面が扇姿の団扇の形となって扇面が十分に開け、及び、該親骨は該団扇の柄と成さしめたもの(つまり、団扇として使用する物)とする。そして、また一つには、該親骨どうしを重ねず、親骨と該内縁骨とを重ね合わせ、面ファスナーで接着させた場合は扇子の形となるもの(つまり、扇子として使用する物)とする。この「扇子にも団扇にもなる」切り替え自在としたところを特徴とする「形態の切り替えのできる扇」。
【請求項２】
該扇のかなめ部にかなめの「締め付け」と「緩み止め」を設けたことを特徴とする請求項１に記載の「形態の切り替えのできる扇」。
【請求項３】
該扇の親骨と中骨と内縁骨とに渡り、「各骨の移動防止のための部品」を設けたことを特徴とする請求項１に記載の「形態の切り替えのできる扇」。
【請求項４】
該扇のかなめ部周辺に輪ゴムや伸び縮みする弾性部材で「締め付け」と「緩み止め」(つまり、締め（しめ）)を設けたことを特徴とする請求項１に記載の「形態の切り替えのできる扇」。
【手続補正２】
【補正対象書類名】明細書
【補正対象項目名】０００４
【補正方法】変更
【補正の内容】
【０００４】
本考案は、扇子と団扇の形態切り替え機構（扇子を開いたとき、一つには、扇面の左右両端に各１ずつ扇面に連なる内縁骨（うちふちぼね）を設け、該内縁骨の要（かなめ）に近い方の先端と「当扇子においては扇面につながっていない親骨」の要（かなめ）に近い方の先端とを扇子の左右の側それぞれにて紐でつなぎ結び、両親骨を要（かなめ）の周りに回動させ、続いて、該親骨どうしを重ね合わせたときには、扇面が扇姿の団扇の形となって扇面が十分に開け、及び、該親骨は該団扇の柄と成さしめたもの(つまり、団扇として使用する物)とする。そして、また一つには、該親骨どうしを重ねず、親骨と該内縁骨とを重ね合わせ、面ファスナーで接着させた場合は扇子の形となるもの(つまり、扇子として使用する物)とする。この「扇子にも団扇にもなる」切り替え自在としたところ。）を設け、送風のための使用時には開いた扇子又は団扇を、持ち運び時には閉じた状態の扇子形態を選択することにより、快適な風量の確保と軽便な運搬という、扇子と団扇の長所のみを活かさせ、扇ぐ扇としても、また、広告又は表示手段の用具としても使用者が自己選択できる「該形態の切り替え機構」により、課題を解決している。
【手続補正３】
【補正対象書類名】明細書
【補正対象項目名】０００５
【補正方法】変更
【補正の内容】
【０００５】
形態を変化させる機構を設けることにより、一つの用具で十分な風量を確保でき、外見もすっきりとコンパクトに持ち運ぶのに役立つことは勿論のこと、かなめの締め付け具や扇面すぼみ止め具を備えた該略固定の団扇形態のものは、扇ぐ目的以外に折りたたみができる軽便な案内誘導板や交通整理誘導板や広告板などに役立つ。
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
扇子を開いたとき、扇面の左右両端に各１ずつ該扇面に連なる内縁骨（うちふちぼね）を設け、該内縁骨の要（かなめ）に近い方の先端と該扇面につながっていないところの親骨の要に近い方の先端とを扇子の正面から見て左右の側おのおのにおいて紐でつなぎ結びつけ、そして、両親骨を要の周りに回動できるようにしたうえで、特定の一面、該親骨どうしを重ね合わせたときには扇面が扇子姿の団扇の形となって扇面が十分に開けまた該親骨は該団扇の柄となり団扇として使用する物と、また特定の一面、面ファスナーで該親骨と該内縁骨とを重ね合わせ接着させたときには扇子の形となり扇子として使用できる物とからなる扇子にも団扇にも自在に切り替えることを特徴とする形態の切り替えのできる扇。
【請求項２】
該扇のかなめ部に要の締め付けと緩み止めを設けたことを特徴とする請求項１に記載の形態の切り替えのできる扇。
【請求項３】
該扇の親骨と中骨と内縁骨とに渡り、各骨の移動防止のための部品を設けたことを特徴とする請求項１に記載の形態の切り替えのできる扇。
【請求項４】
該扇のかなめ部周辺に輪ゴムや伸び縮みする弾性部材で締め付けと緩み止めの締め（しめ）を設けたことを特徴とする請求項１に記載の形態の切り替えのできる扇。
【手続補正２】
【補正対象書類名】明細書
【補正対象項目名】０００４
【補正方法】変更
【補正の内容】
【０００４】
本考案は、扇子を開いたとき、扇面の左右両端に各１ずつ該扇面に連なる内縁骨（うちふちぼね）を設け、該内縁骨の要（かなめ）に近い方の先端と該扇面につながっていないところの親骨の要に近い方の先端とを扇子の正面から見て左右の側おのおのにおいて紐でつなぎ結びつけ、そして、両親骨を要の周りに回動できるようにしたうえで、特定の一面、該親骨どうしを重ね合わせたときには扇面が扇子姿の団扇の形となって扇面が十分に開けまた該親骨は該団扇の柄となり団扇として使用する物と、また特定の一面、面ファスナーで該親骨と該内縁骨とを重ね合わせ接着させたときには扇子の形となり扇子として使用できる物とからなる扇子にも団扇にも自在に切り替えることを特徴とするところの扇子と団扇の形態切り替え機構を設け、送風のための使用時には開いた扇子又は団扇のかたちを、持ち運び時には閉じた状態の扇子のかたちを選択することにより、快適な風量の確保と軽便な運搬という、扇子と団扇の長所のみを活かさせ、扇ぐ扇としても、また、広告又は表示手段の用具としても使用者がかたちを自己選択できる該形態の切り替え機構により、課題を解決している。
【手続補正３】
【補正対象書類名】明細書
【補正対象項目名】０００５
【補正方法】変更
【補正の内容】
【０００５】
形態を変化させる機構を設けることにより、一つの用具で十分な風量を確保でき、外見もすっきりとコンパクトに持ち運ぶのに役立つことは勿論のこと、かなめの締め付け具や扇面すぼみ止め具を備えた該略固定の団扇形態のものは、扇ぐ目的以外に折りたたみができる軽便な案内誘導板や交通整理誘導板や広告板などに役立つ。